(57)【特許請求の範囲】
【請求項１】
前後方向に長い杆部とその杆部の前端部および後端部のそれぞれに一体に連設された前脚部および後脚部とを有しかつそれらの前脚部と後脚部との相互間距離よりも長い距離を隔てて対向設置される左右一対の門形部材と、これらの門形部材に具備された左右一対の上記前脚部の下端部相互間に亘って、両端部がそれぞれの前脚部に対して各別の左右一対の第１縦軸周りに相対回動自在に連結された前支持杆が横架され、一方の上記門形部材の後部に、その門形部材の上記杆部に沿う縦長姿勢とその門形部材から横方向に延びて左右一対の上記門形部材の相互間に横架される横長姿勢との間で第２縦軸周りに回動可能に背もたれ部材の一端部が取り付けられ、この背もたれ部材の他端部に、他方の上記門形部材の後部に設けられた取付具に対して着脱可能な取付部が設けられ、左右一対の上記門形部材のそれぞれの杆部の相互間に、可撓性を有する着座シートが垂れ下がり状態で吊り渡されていることを特徴とする吊りシート式折畳み椅子。
【請求項２】
上記着座シートに、その着座シートの垂れ下がり幅を増減調節可能な伸縮機構が設けられている請求項１に記載の吊りシート式折畳み椅子。
【請求項３】
上記取付具が、上板部と、その上板部の後端部から垂設された後板部と、その後板部の下端部から前方へ向かって突設された下板部と、上記上板部の前端部および上記下板部の前端部の相互間に形成された開放口と、を有する前面開放のコ字形部材により構成されていると共に、そのコ字形部材の上板部と下板部とに同心状のピン挿通孔が開設されており、
上記取付具に対し上記開放口を通して嵌脱可能な上記背もたれ部材の上記取付部に、上記取付具に嵌合したときに上記ピン挿通孔に同心配置されるピン挿通孔が開設され、
上記取付具の上記ピン挿通孔とその取付具に嵌合された上記取付部の上記ピン挿通孔とに抜き差し可能な差込ピンを備える請求項１または請求項２に記載の吊りシート式折畳み椅子。
【請求項４】
上記差込ピンに、その差込ピンを上記取付具の上記ピン挿通孔とその取付具に嵌合された上記取付部の上記ピン挿通孔とに差し込んだときに、上記差込ピンの差込位置の左右両側に亘る範囲で上記取付具における上記後板部の後面に接触することにより、その差込ピンを中心とする上記取付具と上記背もたれ部材の上記取付部との相対回動を抑制する板片状の押え具が設けられている請求項３に記載の吊りシート式折畳み椅子。
【発明の詳細な説明】
【０００１】
【発明の属する技術分野】
本発明は、吊り下げ式の着座シートを有しかつ折畳みが可能な吊りシート式折畳み椅子に関する。
【０００２】
【従来の技術】
従来、左右一対の門形部材のそれぞれに具備された前後方向に長い杆部の相互間に可撓性のシートを緊張状態で掛け渡した吊りシート式椅子があった。また、椅子の着座部や脚部、背もたれ部、アームレスト部などを折畳み可能とした折畳み椅子もあった。
【０００３】
【発明が解決しようとする課題】
しかしながら、従来の上記吊りシート式椅子は、腰掛けた姿勢が安定しにくくて長時間の使用に不向きであった。また、従来の上記折畳み椅子は、折り畳んだ状態での持ち運びに不便を感じるものであった。
【０００４】
本発明は以上の状況のもとでなされたものであり、構造が簡単で安価に製作することのできるものでありながら、使用者の姿勢が安定して長時間の使用によっても疲労感を生じにくく、しかも、袋に入れて持ち運ぶことが可能になる程度にコンパクトに折り畳むことのできる吊りシート式折畳み椅子を提供することを目的とする。
【０００５】
また、本発明は、使用者の身体の大きさに合わせて着座シートの高さを調節することができ、また、その着座シートの高さを調節することによって腰掛けることも正座することも可能になるだけでなく、いずれの方法で使用しても使用者の身体の重心が安定し、しかも使用者の足に加わる負担が少なくなる吊りシート式折畳み椅子を提供することを目的とする。
【０００６】
【課題を解決するための手段】
請求項１に係る発明の吊りシート式折畳み椅子は、前後方向に長い杆部とその杆部の前端部および後端部のそれぞれに一体に連設された前脚部および後脚部とを有しかつそれらの前脚部と後脚部との相互間距離よりも長い距離を隔てて対向設置される左右一対の門形部材と、これらの門形部材に具備された左右一対の上記前脚部の下端部相互間に亘って、両端部がそれぞれの前脚部に対して各別の左右一対の第１縦軸周りに相対回動自在に連結された前支持杆が横架され、一方の上記門形部材の後部に、その門形部材の上記杆部に沿う縦長姿勢とその門形部材から横方向に延びて左右一対の上記門形部材の相互間に横架される横長姿勢との間で第２縦軸周りに回動可能に背もたれ部材の一端部が取り付けられ、この背もたれ部材の他端部に、他方の上記門形部材の後部に設けられた取付具に対して着脱可能な取付部が設けられ、左右一対の上記門形部材のそれぞれの杆部の相互間に、可撓性を有する着座シートが垂れ下がり状態で吊り渡されている、というものである。
【０００７】
この吊りシート式折畳み椅子において、可撓性を有する着座シートが垂れ下がり状態で左右一対の上記門形部材のそれぞれの杆部の相互間に吊り渡されているので、使用者がその着座シートに腰掛けると、その着座シートが使用者の体重でその臀部から腰部に至る部分に沿うように変形する。このため、上記着座シートが使用者の臀部から腰部に至る部分に違和感なくフィットして使用者の体重が着座シートにより広い面積で受け止められ、しかも、使用者の姿勢が安定し、使用者の足に加わる負担も軽減される。
【０００８】
この吊りシート式折畳み椅子を折り畳むときは、上記背もたれ部材の上記取付部を上記取付具から離脱させた後、その背もたれ部材を第２縦軸周りに回動させて一方の上記門形部材の上記杆部に沿う縦長姿勢とすることと、一方の上記門形部材を上記前支持杆に対し一方の第１縦軸周りに回動させることと、他方の上記門形部材を他方の第１縦軸周りに回動させること、とを行うことによって、上記背もたれ部材を挟む両側に一方の門形部材と他方の門形部材とが重なり合うようにする。
【０００９】
請求項２に係る発明の吊りシート式折畳み椅子は、請求項１に記載のものにおいて、上記着座シートに、その着座シートの垂れ下がり幅を増減調節可能な伸縮機構が設けられている、というものである。
【００１０】
この吊りシート式折畳み椅子によれば、上記伸縮機構によって上記着座シートの垂れ下がり幅を増減することができる。そのため、使用者の身体の大きさに合わせて着座シートの高さを調節することができ、また、その着座シートの高さを調節することによって腰掛けることも正座することも可能になる。その上、上記着座シートが垂れ下がっているので、上述した請求項１の作用と同じ作用が、腰掛け状態での使用に際しても、正座状態での使用に際しても発揮される。
【００１１】
請求項３に係る発明の吊りシート式折畳み椅子は、請求項１または請求項２に記載のものにおいて、上記取付具が、上板部と、その上板部の後端部から垂設された後板部と、その後板部の下端部から前方へ向かって突設された下板部と、上記上板部の前端部および上記下板部の前端部の相互間に形成された開放口と、を有する前面開放のコ字形部材により構成されていると共に、そのコ字形部材の上板部と下板部とに同心状のピン挿通孔が開設されており、上記取付具に対し上記開放口を通して嵌脱可能な上記背もたれ部材の上記取付部に、上記取付具に嵌合したときに上記ピン挿通孔に同心配置されるピン挿通孔が開設され、上記取付具の上記ピン挿通孔とその取付具に嵌合された上記取付部の上記ピン挿通孔とに抜き差し可能な差込ピンを備える、というものである。
【００１２】
この吊りシート式折畳み椅子によれば、上記差込ピンを、上記コ字形部材でなる上記取付具のピン挿通孔とその取付具に嵌合された上記背もたれ部材の上記取付部のピン挿通孔とに差し込むという簡単な操作を行うだけで、上記取付具と上記取付部とが連結される。また、そのようにして差し込んだ上記差込ピンを引き抜くだけで上記取付具と上記取付部との連結が解除されて、折畳みが可能になる。
【００１３】
請求項４に係る発明の吊りシート式折畳み椅子は、請求項３に記載のものにおいて、上記差込ピンに、その差込ピンを上記取付具の上記ピン挿通孔とその取付具に嵌合された上記取付部の上記ピン挿通孔とに差し込んだときに、上記差込ピンの差込位置の左右両側に亘る範囲で上記取付具における上記後板部の後面に接触することにより、その差込ピンを中心とする上記取付具と上記背もたれ部材の上記取付部との相対回動を抑制する板片状の押え具が設けられている、というものである。
【００１４】
この吊りシート式折畳み椅子によれば、上述したように差込ピンを差し込んで上記取付具と上記取付部とを連結したときに、その差込ピンに設けられている上記押え具が、上記差込ピンの差込位置の左右両側に亘る範囲で上記取付具における上記後板部の後面に接触してその差込ピンを中心とする上記取付具と上記取付部との相対回動を抑制するので、折畳み可能であるにもかかわらず、使用状態が安定する。
【００１５】
【発明の実施の形態】
図１は本発明の実施の一形態を示す吊りシート式折畳み椅子Ａを組み立てた状態で示す正面上方から見た概略斜視図、図２はその使用状態での作用を説明するための正面から見た概略説明図、図３は着座シート５の伸縮機構を示す斜視図、図４は左側の門形部材１と背もたれ部材４との取付部分の一部破断正面図、図５は左側の前脚部１２と前支持杆３との取付部分の一部破断正面図、図６は右側の門形部材２側に設けられた取付具６と上記背もたれ部材４側の取付部４２と差込ピン７などを示す概略斜視図、図７は上記取付具６と上記取付部４２とを連結したときの一部破断正面図である。
【００１６】
図１のように、この吊りシート式折畳み椅子Ａは、左右一対の門形部材１，２と、前支持杆３と、背もたれ部材４と、着座シート５とを備えている。
【００１７】
左側の上記門形部材１は、前後方向に長い杆部１１と、その杆部１１の前端部および後端部のそれぞれに一体に連設された前脚部１２および後脚部１３とを有している。この門形部材１は２５ｍｍ程度の外周直径を有する所定長の金属製の丸パイプ材を門形に曲げて製作されており、上記杆部１１と前脚部１２との境界箇所や上記杆部１１と上記後脚部１３との境界箇所は湾曲している。また、この門形部材１を床上に起立させたときの床面から上記杆部１１の頂面に至る高さ寸法が３０〜３５ｃｍ程度になっている。さらに、この門形部材１の前脚部１２と後脚部１３の間の距離、すなわち奥行寸法は３５〜４５ｃｍ程度になっている。右側の門形部材２には、上記した左側の門形部材１と同じ形状および同じ寸法のものが用いられている。２１は杆部、２２は前脚部、２３は後脚部である。なお、左右の門形部材１，２において、その前脚部１２，２２や後脚部１３，２３を伸縮可能に構成することも可能である。
【００１８】
上記前支持杆３は帯板状の金属板で製作されている。この前支持杆３は、その両端部が上向きに折り曲げられてばね性を備える押え片３１，３２となされていると共に、それらの押え片３１，３２の直内側に短い金属製のパイプ材でなる支持突起３３，３４が上向きに溶接で接合されている。そして、図５に詳細に示したように、左側の上記支持突起３３には、上記した左側の門形部材１の前脚部１２の下端部が相対回転自在に外嵌合されてその門形部材１が垂直に起立した姿勢に保持されている。これに対し、右側の上記支持突起３４に、上記した右側の門形部材２の前脚部２２の下端部が相対回転自在に外嵌合されてその門形部材２が垂直に起立した姿勢に保持されている。ここで、上記した左右の支持突起３３，３４は、左右の上記門形部材１，２に具備された左右一対の上記前脚部１２，２２の下端部相互間に亘って上記のように横架された上記前支持杆３を、左右一対の上記前脚部１２，２２に対して各別に相対回動自在に連結する第１縦軸を構成している。
【００１９】
図１や図４に示したように、左側の上記門形部材１の後部であって、その後脚部１３の上端部付近に、根元部１５が横向きに折り曲げられたボルト１４の上記根元部１５が溶接で接合されていて、このボルト１４によって第２縦軸が構成さている。この第２縦軸としてのボルト１４に、角形鋼材（丸パイプでもよい）を所定長に切断することにより形成された上記背もたれ部材４の一端部に開設されたボルト挿通孔４１を嵌合することによって、上記背もたれ部材４の一端部がそのボルト１４に回動可能に取り付けられている。ここで、図４で判るように、上記ボルト１４は上記後脚部１３の右側に突き出る形でその後脚部１３に固定されているので、そのボルト１４に取り付けられている上記背もたれ部材４は、そのボルト１４の周りで左側の上記門形部材１における上記杆部１１に沿う縦長姿勢（図１０参照）と、その門形部材１から横方向に延び出る横長姿勢（図８参照）との間で回動可能である。また、上記ボルト１４には、袋ナット１６がねじ込まれて、上記ボルト挿通孔４１から上向きに突出した上記ボルト１４の端部を覆い隠していると共に、その袋ナット１６によって上記背もたれ部材４の一端部が上記ボルト１４から抜け出ることを防いでいる。
【００２０】
上記背もたれ部材４の他端部に取付部４２が設けられている。図６および図７のように、この取付部４２にはピン挿通孔４３が開設されている。これに対し、右側の上記門形部材２の後部であって、その後脚部２３の上端部付近に取付具６が溶接で接合されている。この取付具６は、上板部６１と、その上板部６１の後端部から垂設された後板部６２と、その後板部６２の下端部から前方へ向かって突設された下板部６３と、上記上板部６１の前端部および上記下板部６３の前端部の相互間に形成された開放口６４とを有する前面開放のコ字形部材により構成されており、そのコ字形部材の上記上板部６１と下板部６３とに同心状のピン挿通孔６５が開設されている。そして、この取付具６に対して、上記背もたれ部材４の上記取付部４２が上記開放口６４を通して嵌脱可能になっている。また、その取付具６に上記背もたれ部材４の上記取付部４２を嵌合させたときには、上記取付具６のピン挿通孔６５と上記取付部４２のピン挿通孔４３とが同心配置されるようになっている。
【００２１】
図６および図７において、７は差込ピンである。この差込ピン７は、上記取付具６の上記ピン挿通孔６５とその取付具６に嵌合された上記取付部４２の上記ピン挿通孔４３とに抜き差し可能である。また、この差込ピン７には押え具７５が設けられている。この押え具７５は、上記差込ピン７の上端部に溶接で接合された取付板部７６と、この取付板部７６の後端部に膨らみ部７７を介して垂設された押圧板部７８とを備えている。そして、図７のようにその差込ピン７を上記取付具６の上記ピン挿通孔６５とその取付具６に嵌合された上記取付部４２の上記ピン挿通孔４３とに差し込んだときには、同図に破線で示したように、上記差込ピン７の差込位置の左右両側に亘る範囲で上記押圧板部７８が上記取付具６における上記後板部６２の後面に弾接して上記差込ピン７と上記押圧板部７８とにより上記取付具６を挾圧するようになっている。このため、その差込ピン７を中心とする上記取付具６と上記背もたれ部材４の上記取付部４２との相対回動が上記押え具７５によって抑制される。
【００２２】
上記背もたれ部材４を上記した横長姿勢にしてその取付部４２を上記差込ピン７を介して上記取付具６に連結したときには、その背もたれ部材４が水平に左右一対の門形部材１，２における後脚部１３，２３の相互間に横架される。また、上記前支持杆３に左右一対の上記支持突起３３，３４を介して取り付けられている左右一対の上記門形部材１，２は、互いに平行で、しかもその前支持杆３や上記背もたれ部材４に対し直角をなす前後方向に配備される。また、左右一対の門形部材１，２は、それらの前脚部１２，２２と後脚部１３，２３との相互間距離よりも長い距離を隔てて対向設置される。
【００２３】
また、図１に示したように、左右一対の上記門形部材１，２における杆部１１，２１には、筒状の布製カバー１８，２８が装着されており、また、上記前支持杆３や上記背もたれ部材４にも布製カバー３８，４８が装着されている。上記杆部１１，２１は使用者が肘をおいてアームレストとして用いることが可能であり、そのため、その杆部１１，２１にカバー１８，２８を装着しておくことは有益である。また、上記背もたれ部材４は、上方に向けて立ち上がる背もたれ板を装着するように構成することも可能である。
【００２４】
図１や図２のように左右一対の上記門形部材１，２のそれぞれの杆部１１，２１の相互間に、可撓性を有する上記着座シート５が垂れ下がり状態で吊り渡されている。この着座シート５は、腰掛けたり正座したりするときに使用者の臀部を支える矩形の着座布５１と、この着座布５１の前後両端縁部を横切って配設された前後一対の布帯５２と、これらの布帯５２の左右の端部のそれぞれに装着された合計４個のクランプ５３とを備えている。
【００２５】
図３に示したように、上記クランプ５３は、矩形枠５４と横桟５５とその横桟５５の両側の開口５６，５６とを有するものであって、上記布帯５２を図３のように上記横桟５５を跨いでその両側の上記開口５６，５６に通しておくと、そのクランプ５３と布帯５２とが反対向きに引っ張られたときには両者が滑らないようにその相対位置が定位置に保たれ、上記布帯５２を上記開口５６，５６から引き出して弛ませた後、その布帯５２を片側の開口５６を通して引き込んで緊張させるということを行うと、上記布帯５２とクランプ５３との相対位置が変化するという機能を有している。したがって、図３のように、上記布帯５２を、左側の門形部材１の上記杆部１１に装着されているカバー１８の位置決め布１９とそのカバー１８との隙間を通してそのカバー１８に巻き掛けると共に、図示のように２枚重ねにして上記クランプ５３に通しておくと、着座シート５が左側の上記杆部１１から垂れ下がり状態に吊り下げられる。したがって、図１のように左右一対の上記門形部材１，２のそれぞれの杆部１１，２１に、前後一対の上記布帯５２，５２の両端部のそれぞれを合計４個の上記クランプ５３を用いて吊り下げると、上記したように、上記着座シート５が垂れ下がり状態で左右一対の門形部材１，２の杆部１１，２１に吊り渡される。このときの着座シート５の垂れ下がり幅は、それぞれの上記クランプ５３とそれらのクランプ５３に通されている布帯５２との相対位置を調節することによって増減調節可能である。したがって、上記クランプ５３は上記着座シート５の垂れ下がり幅を増減調節するための伸縮機構を構成している。
【００２６】
以上説明した吊りシート式折畳み椅子Ａにおいては、可撓性を有する着座シート５が垂れ下がり状態で左右一対の上記門形部材１，２のそれぞれの杆部１１，２１の相互間に吊り渡されているので、図２のように使用者Ｍがその着座シート５に腰掛けると、その着座シート５が使用者Ｍの体重でその臀部から腰部に至る部分に沿うように変形する。このため、上記着座シート５が使用者の臀部から腰部に至る部分に図示のように違和感なくフィットして使用者Ｍの体重が着座シート５により広い面積で受け止められる。また、使用者Ｍの姿勢が安定し、使用者Ｍの足に加わる負担も軽減される。
【００２７】
この吊りシート式折畳み椅子Ａは、上記クランプ５３と上記布帯５２とを操作することによって、上記着座シート５の垂れ下がり幅を増減することができる。そのため、使用者Ｍの身体の大きさに合わせて着座シート５の高さを調節することができ、また、その着座シート５の高さを調節することによって腰掛けることも正座することも可能になる。図２には、正座したときの使用者Ｍの左右の足の位置を符号Ｌで示してある。これから類推できるように、正座するときには、上記着座シート５の高さを低めにし、その着座シート５に腰を下ろすと共に、左右の足Ｌ，Ｌをその着座シート５と床面との間に入れるようにする。
【００２８】
図８〜図１１は上記吊りシート式折畳み椅子Ａを折り畳む手順の一例を示している。図８は上記吊りシート式折畳み椅子Ａが組み立てられている状態を平面的に示している。上記吊りシート式折畳み椅子Ａの折畳みは、図８の状態から、上記差込ピン７を引き抜いて上記背もたれ部材４の上記取付部４２を上記取付具６から離脱させた後、その背もたれ部材４を上記着座シート５の下にくぐらせながら、図９の矢符Ｒ１のように上記第２縦軸を形成している上記ボルト１４の周りに回動させて左側の上記門形部材１の上記杆部１１に沿う縦長姿勢にする。次に、図１０の矢符Ｒ２のように、右側の門形部材２を右側の第１縦軸を形成している右側の支持突起３４の周りで回動させ、続いて、左側の上記門形部材１を上記背もたれ部材４と共に左側の第１縦軸を形成している左側の支持突起３３の周りで図１１の矢符Ｒ３のように回動させることにより、同図のように、上記前支持杆３の上で上記背もたれ部材４を挟む両側に左側の上記門形部材１と右側の上記門形部材２とが重なり合うようにする。こうして折り畳まれた上記吊りシート式折畳み椅子Ａは、図示していない袋に入れて持ち運ぶことが可能である。
【００２９】
折り畳まれた上記吊りシート式折畳み椅子Ａを展開して組み立てるときには、上記した折畳み手順の逆の手順を行えばよい。
【００３０】
以上説明した実施形態においては、左右一対の門形部材１，２が金属製の丸パイプ材で作られているので、強度的に優れたものである。これらの門形部材１，２を樹脂パイプで作っておけば、軽量化を達成しやすい。また、本発明において、上記伸縮機構は、上述したクランプ５３に限定されることはなく、他の種類のもの、たとえばバックルなどを採用することも可能である。
【００３１】
【発明の効果】
本発明に係る吊りシート式折畳み椅子によると、腰掛け状態であっても正座状態であっても、使用者の腰部や足に加わる負担が少なくなり、また、使用者の姿勢が安定し、長時間使用による疲労感をそれほど感じなくなる。また、折り畳んだときには、背もたれ部を挟む両側に一方の門形部材と他方の門形部材とが重なり合うようになるので、袋に入れて楽に持ち運ぶことのできるコンパクト形になる。また、使用者の身体の大きさに合わせて着座シートの高さを調節することができるので、上記したような長時間使用による疲労感を感じなくなるという効果が助長される。さらに、使用に際しての上記背もたれ部材の取付部と上記取付具との連結や、折畳みに際してのその連結の解除を、上記差込ピンの抜き差しだけで迅速かつ容易に行うことができるようになる。また、使用時には、上記差込ピンに設けられている押え具の作用によって、ぐらつきが防止されて使用状態が安定するという効果がある。
【００３２】
このような効果、すなわち、長時間座ったときの足や腰への負担を軽減することができるという効果を奏するこの発明の吊りシート式折畳み椅子は、屋内においてはテレビや読書、囲碁、将棋、マージャン、テレビゲームなどの各種の室内ゲームや、編物、書道、お客様との対話、食事、宴会、仏間での読経や寺院や集会所での食事や会合など、老人や足腰の具合の悪い人のみならず、若い人や健常者にも有益に使用でき、かつまた、袋入りとして携帯することのできるものであるからスポーツ観戦や屋外での会合・宴会、キャンプ、釣り等々、アウトドア用品としても使用でき、各種広範囲な用途が考えられる。
【図面の簡単な説明】
【図１】本発明の実施の一形態を示す吊りシート式折畳み椅子を組み立てた状態で示す正面上方から見た概略斜視図である。
【図２】上記吊りシート式折畳み椅子についての使用状態での作用を説明するための正面から見た概略説明図である。
【図３】着座シートの伸縮機構を示す斜視図である。
【図４】左側の門形部材と背もたれ部材との取付部分の一部破断正面図である。
【図５】左側の前脚部と前支持杆との取付部分の一部破断正面図である。
【図６】右側の門形部材側に設けられた取付具と背もたれ部材側の取付部と差込ピンなどを示す概略斜視図である。
【図７】上記取付具と上記取付部とを連結したときの一部破断正面図である。
【図８】上記吊りシート式折畳み椅子が組み立てられている状態を平面的に示した説明図である。
【図９】背もたれ部材を折り畳んだ状態を平面的に示した説明図である。
【図１０】右側の門形部材を折り畳んだ状態を平面的に示した説明図である。
【図１１】上記吊りシート式折畳み椅子を完全に折り畳んだ状態を平面的に示した説明図である。
【符号の説明】
Ａ  吊りシート式折畳み椅子
１，２  門形部材
３  前支持杆
４  背もたれ部材
５  着座シート
６  取付具
７  差込ピン
１１，２１  杆部
１２，２２  前脚部
１３，２３  後脚部
１４  ボルト（第２縦軸）
３３，３４  支持突起（第１縦軸）
４２  取付部
４３  ピン挿通孔
５３  クランプ（伸縮機構）
６１  上板部
６２  後板部
６３  下板部
６４  開放口
６５  ピン挿通孔
７５  押え具
【図１】
0003658740.tif 000002
【図２】
0003658740.tif 000003
【図３】
0003658740.tif 000004
【図４】
0003658740.tif 000005
【図５】
0003658740.tif 000006
【図６】
0003658740.tif 000007
【図７】
0003658740.tif 000008
【図８】
0003658740.tif 000009
【図９】
0003658740.tif 000010
【図１０】
0003658740.tif 000011
【図１１】
0003658740.tif 000012